(57)【要約】【課題】操作者が所望する関心点に関する断面画像を発生可能な医用画像診断装置、医用画像処理、医用画像処理方法、および医用画像処理プログラムを提供すること。【解決手段】本実施形態に係る医用画像診断装置１は、所定の焦点からＸ線を発生するＸ線発生部３と、Ｘ線発生部３から発生され、天板１１に載置された被検体を透過したＸ線を検出するＸ線検出部５と、被検体に関するボリュームデータを記憶する記憶部１７と、ボリュームデータと天板１１に対する焦点の相対的な位置とに基づいて、天板１１の短軸方向に平行であって焦点の位置を含む複数の面にそれぞれ対応する複数の断面画像を発生する断面画像発生部２１と、断面画像を表示する表示部２５と、を具備することを特徴とする。【選択図】図１
2014140529.tif 000002
【特許請求の範囲】
【請求項１】
所定の焦点からＸ線を発生するＸ線発生部と、
前記Ｘ線発生部から発生され、天板に載置された被検体を透過したＸ線を検出するＸ線検出部と、
前記被検体に関するボリュームデータを記憶する記憶部と、
前記ボリュームデータと前記天板に対する前記焦点の相対的な位置とに基づいて、前記天板の短軸方向に平行であって前記焦点を含む複数の面にそれぞれ対応する複数の断面画像を発生する断面画像発生部と、
前記断面画像を表示する表示部と、
を具備することを特徴とする医用画像診断装置。
【請求項２】
前記断面画像発生部は、前記天板の長軸方向に沿った所定の間隔で、前記複数の断面画像を発生すること、
を特徴とする請求項１に記載の医用画像診断装置。
【請求項３】
前記表示部は、
前記長軸方向に沿った並びの順で、前記複数の断面画像を表示すること、
を特徴とする請求項２に記載の医用画像診断装置。
【請求項４】
前記Ｘ線検出部からの出力に基づいて、前記被検体の投影画像を発生する投影画像発生部と、
前記投影画像上に指定された位置に対応する前記Ｘ線検出部におけるＸ線検出面の位置と前記焦点の位置と前記Ｘ線検出面の中心位置とに基づいて、前記焦点の位置と前記中心位置とを含み前記短軸方向に平行な第1面と、前記焦点の位置と前記Ｘ線検出面の位置とを含み前記短軸方向に平行な第２面との間の角度を決定する角度決定部とを具備し、
前記断面画像発生部は、
前記ボリュームデータと前記角度とに基づいて、前記第２面に対応する断面画像を発生すること、
を特徴とする請求項１に記載の医用画像診断装置。
【請求項５】
前記Ｘ線発生部と前記Ｘ線検出部とを移動可能に支持する支持機構とを具備し、
前記角度決定部は、前記支持機構の傾きと前記Ｘ線検出面の位置と前記焦点の位置と前記中心位置とに基づいて、前記角度を決定すること、
を特徴とする請求項４に記載の医用画像診断装置。
【請求項６】
天板に載置された被検体に関するボリュームデータと投影画像とを記憶する記憶部と、
前記投影画像に関するＸ線の焦点と前記天板との相対的な位置と前記ボリュームデータとに基づいて、前記天板の短軸方向に平行であって前記焦点を含む複数の面にそれぞれ対応する複数の断面画像を発生する断面画像発生部と、
前記断面画像を表示する表示部と、
を具備することを特徴とする医用画像処理装置。
【請求項７】
天板に載置された被検体に関するボリュームデータと投影画像とを記憶し、
前記投影画像に関するＸ線の焦点と前記天板との相対的な位置と前記ボリュームデータとに基づいて、前記天板の短軸方向に平行であって前記焦点の位置を含む複数の面にそれぞれ対応する複数の断面画像を発生し、
前記断面画像を表示すること、
を具備することを特徴とする医用画像処理方法。
【請求項８】
コンピュータに、
天板に載置された被検体に関するボリュームデータと投影画像とを記憶させ、
前記投影画像に関するＸ線の焦点と前記天板との相対的な位置と前記ボリュームデータとに基づいて、前記天板の短軸方向に平行であって前記焦点の位置を含む複数の面にそれぞれ対応する複数の断面画像を発生させ、
前記断面画像を表示させること、
を具備することを特徴とする医用画像処理プログラム。
【発明の詳細な説明】
【技術分野】
【０００１】
本発明の実施形態は、医用画像診断装置、医用画像処理装置、医用画像処理方法および医用画像処理プログラムに関する。
【背景技術】
【０００２】
従来、Ｘ線コンピュータ断層撮影（Ｃｏｍｐｕｔｅｄ  Ｔｏｍｏｇｒａｐｈｙ：以下、ＣＴと呼ぶ）装置とＸ線診断装置とを組み合わせたインターベンショナルラジオロジー（Ｉｎｔｅｒｖｅｎｔｉｏｎａｌ  ｒａｄｉｏｌｏｇｙ：以下、ＩＶＲと呼ぶ）−ＣＴ装置がある。ＩＶＲ−ＣＴ装置は、例えば、穿刺などの施術を支援する機能を有する。このとき、ＩＶＲ−ＣＴ装置は、発生した投影画像上に指定されたポイントに基づいて、アキシャル画像、サジタル画像、コロナル画像からなる断面変換（Ｍｕｌｔｉ−Ｐｌａｎａｒ  Ｒｅｃｏｎｓｔｒｕｃｔｉｏｎ：以下、ＭＰＲと呼ぶ）画像を発生することができる。
【０００３】
すなわち、従来のＩＶＲ−ＣＴ装置は、３種のＭＰＲ画像を表示することができる。アキシャル画像は、図１０、図１１、及び図１２に示すように、例えば、予め設定された仮の高さと投影画像上に指定された位置とに基づいて計算されたアキシャル断面に従って発生される。このとき、アキシャル画像は、予め設定された仮の高さと投影画像上に指定された位置とに基づいて仮定された関心点を有する。しかしながら、仮定された関心点と操作者が所望する関心点とはずれることがある。このため、従来のＩＶＲ−ＣＴ装置は、操作者が所望する関心点を表示できない問題がある。
【発明の概要】
【発明が解決しようとする課題】
【０００４】
目的は、操作者が所望する関心点に関する断面画像を発生可能な医用画像診断装置、医用画像処理、医用画像処理方法および医用画像処理プログラムを提供することにある。
【課題を解決するための手段】
【０００５】
本実施形態に係る医用画像診断装置は、所定の焦点からＸ線を発生するＸ線発生部と、前記Ｘ線発生部から発生され、天板に載置された被検体を透過したＸ線を検出するＸ線検出部と、前記被検体に関するボリュームデータを記憶する記憶部と、前記ボリュームデータと前記天板に対する前記焦点の相対的な位置とに基づいて、前記天板の短軸方向に平行であって前記焦点の位置を含む複数の面にそれぞれ対応する複数の断面画像を発生する断面画像発生部と、前記断面画像を表示する表示部と、を具備することを特徴とする。
【図面の簡単な説明】
【０００６】
【図１】図１は、本実施形態に係る医用画像診断装置の構成の一例を示す図である。
【図２】図２は、本実施形態に係り、発生された複数の断面画像の一例を、Ｘ線検出部における検出面、ボリュームデータ、管球焦点とともに示す図である。
【図３】図３は、本実施形態に係り、発生された複数の断面画像の表示の一例を示す図である。
【図４】図４は、本実施形態に係り、断面画像発生処理の手順の一例を示すフローチャートである。
【図５】図５は、本実施形態の変形例に係り、投影画像に指定された指定位置の一例を示す図である。
【図６】図６は、本実施形態の変形例に係り、Ｘ線検出面の中心位置と管球焦点とを有し天板の短軸方向に平行な第１面と、特定位置と管球焦点とを有し天板の短軸方向に平行な第２面とを、第１面と第２面との間の角度θとともにを示す図である。
【図７】図７は、本実施形態の変形例に係り、図６における第１面、第２面を天板の短軸方向から見た図である。
【図８】図８は、本実施形態の変形例に係り、第２面に対応する断面画像を、ボリュームデータと、Ｘ線検出部と、管球焦点と、特定位置とともに示す図である。
【図９】図９は、本実施形態の変形例に係り、断面画像発生処理の手順の一例を示すフローチャートである。
【図１０】図１０は、従来技術に係る図面である。
【図１１】図１１は、従来技術に係る図面である。
【図１２】図１２は、従来技術に係る図面である。
【発明を実施するための形態】
【０００７】
以下、図面を参照しながら実施形態に係る医用画像診断装置を説明する。なお、以下の説明において、略同一の機能及び構成を有する構成要素については、同一符号を付し、重複説明は必要な場合にのみ行う。
【０００８】
図１は、本実施形態に係る医用画像診断装置１の構成を示している。医用画像診断装置１は、Ｘ線発生部３と、Ｘ線検出部５と、支持機構７と、支持機構駆動部９と、天板１１と、投影画像発生部１３と、インターフェース部１５と、記憶部１７と、角度決定部１９と、断面画像発生部２１と、入力部２３と、表示部２５と、制御部２７とを有する。
【０００９】
Ｘ線発生部３は、図示していないＸ線管と高電圧発生部とを有する。高電圧発生部は、Ｘ線管に供給する管電流と、Ｘ線管に印加する管電圧とを発生する。高電圧発生部は、Ｘ線撮影およびＸ線透視にそれぞれ適した管電流をＸ線管に供給し、Ｘ線撮影およびＸ線透視各々にそれぞれ適した管電圧をＸ線管に印加する。Ｘ線管は、高電圧発生部から供給された管電流と、高電圧発生部により印加された管電圧とに基づいて、Ｘ線の焦点（以下、管球焦点と呼ぶ）からＸ線を発生する。
【００１０】
Ｘ線検出部５は、Ｘ線発生部３から発生され、被検体Ｐを透過したＸ線を検出する。例えば、Ｘ線検出部５は、フラットパネルディテクタ（Ｆｌａｔ  Ｐａｎｅｌ  Ｄｅｔｅｃｔｅｒ：以下、ＦＰＤと呼ぶ）を有する。ＦＰＤは、複数の半導体検出素子を有する。半導体検出素子には、直接変換形と間接変換形とがある。直接変換形とは、入射Ｘ線を直接的に電気信号に変換する形式である。間接変換形とは、入射Ｘ線を蛍光体で光に変換し、その光を電気信号に変換する形式である。Ｘ線の入射に伴って複数の半導体検出素子で発生された電気信号は、図示していないアナログディジタル変換器（Ａｎａｌｏｇ  ｔｏ  Ｄｉｇｉｔａｌ  ｃｏｎｖｅｒｔｅｒ：以下、Ａ／Ｄ変換器と呼ぶ）に出力される。Ａ／Ｄ変換器は、電気信号をディジタルデータに変換する。Ａ／Ｄ変換器は、ディジタルデータを、図示していない前処理部に出力する。なお、Ｘ線検出部５として、イメージインテンシファイア（Ｉｍａｇｅｉｎｔｅｎｓｉｆｉｅｒ）が用いられてもよい。以下、便宜上、複数の半導体検出素子のうち、天板の短軸方向に沿って平行な複数の半導体検出素子を短軸方向平行素子群と呼ぶ。ＦＰＤは、天板の長軸方向に沿って、複数の短軸方向平行素子群を有する。
【００１１】
支持機構７は、Ｘ線発生部３とＸ線検出部５とを移動可能に支持する。具体的には、支持機構７は、例えば、図示していないＣアームとＣアーム支持部とを有する。Ｃアームは、Ｘ線発生部３とＸ線検出部５とを、互いに向き合うように搭載する。なお、Ｃアームの代わりにΩアームが用いられてもよい。Ｃアーム支持部は、そのＣ形状に沿う方向（以下、第１方向と呼ぶ）に、Ｃアームをスライド可能に支持する。また、Ｃアーム支持部は、ＣアームとＣアーム支持器との接続部を中心として、第１方向に直交する方向（以下、第２方向と呼ぶ）に回転可能にＣアームを支持する。なお、Ｃアーム支持部は、後述する天板１１の短軸方向（図１のＸ方向）と長軸方向（図２のＹ方向）とに平行移動可能にＣアームを支持することも可能である。また、Ｃアームは、Ｘ線発生部３とＸ線検出部５との距離（線源受像面間距離（Ｓｏｕｒｃｅ  Ｉｍａｇｅ  Ｄｉｓｔａｎｃｅ：以下、ＳＩＤと呼ぶ））を変更可能に、Ｘ線発生部３とＸ線検出部５とを支持する。
【００１２】
支持機構駆動部９は、後述する制御部２７の制御のもとで、支持機構７を駆動する。具体的には、支持機構駆動部９は、制御部２７からの制御信号に応じた駆動信号をＣアーム支持部に供給して、Ｃアームを第１方向にスライド、第２方向（ＣＲＡまたはＣＡＵ）に回転させる。Ｘ線透視時およびＸ線撮影時においては、Ｘ線発生部３とＸ線検出部５との間に、天板１１に載置された被検体Ｐが配置される。支持機構駆動部９は、天板１１に対するＸ線検出部５における検出面（以下、Ｘ線検出面と呼ぶ）の傾きを、後述する角度決定部１９に出力する。
【００１３】
図示していない天板駆動部は、後述する制御部２７の制御のもとで、天板１１を駆動することにより、天板１１を移動させる。具体的には、天板駆動部は、制御部２７からの制御信号に基づいて、天板１１の短軸方向（図１のＸ方向）または天板１１の長軸方向（図１のＹ方向）に、天板１１をスライドさせる。また、天板駆動部は、鉛直方向（図１のＺ方向）に関して、天板１１を昇降する。加えて、天板駆動部は、長軸方向と短軸方向とのうち少なくとも一つの方向を回転軸（図１のＸ軸、Ｙ軸）として、天板１１を傾けるために天板１１を回転してもよい。
【００１４】
図示していない前処理部は、Ｘ線検出部５から出力されたディジタルデータに対して、前処理を実行する。前処理とは、Ｘ線検出部５におけるチャンネル間の感度不均一の補正、および金属等のＸ線強吸収体による極端な信号の低下またはデータの脱落に関する補正等である。前処理されたディジタルデータは、後述する投影画像発生部１３に出力される。
【００１５】
投影画像発生部１３は、撮影位置においてＸ線撮影された後に前処理されたディジタルデータに基づいて、撮影画像を発生する。投影画像発生部１３は、透視位置でＸ線透視された後に前処理されたディジタルデータに基づいて、透視画像を発生する。以下、撮影画像と透視画像とをまとめて投影画像と呼ぶ。投影画像発生部１３は、発生した投影画像を、後述する表示部２５および記憶部１７に出力する。
【００１６】
インターフェース部１５は、例えば、ネットワーク、図示していない外部記憶装置に関するインターフェースである。本医用画像診断装置１によって得られた投影画像等のデータおよび解析結果などは、インターフェース部１５およびネットワークを介して他の装置に転送可能である。インターフェース部１５は、ネットワークを介して、被検体にボリュームデータを、図示していない医用画像発生装置から取り込む。インターフェース部１５は、取り込んだボリュームデータを、後述する記憶部１７に出力する。ここで、医用画像発生装置とは、例えば、ボリュームデータを発生可能なＸ線コンピュータ断層撮影装置、磁気共鳴イメージング装置、Ｘ線診断装置などである。
【００１７】
記憶部１７は、投影画像発生部１３で発生された種々の投影画像、本医用画像診断装置１の制御プログラム、診断プロトコル、後述する入力部２３から送られてくる操作者の指示、撮影条件、透視条件などの各種データ群、インターフェース部１５とネットワークとを介して送られてくる被検体のボリュームデータ、後述する断面画像発生処理に関する所定の間隔などを記憶する。所定の間隔とは、例えば、長軸方向に沿って互いに隣接する２つの短軸方向平行素子群の間隔である。なお、所定の間隔は、長軸方向に沿った所定の長さであってもよい。また、記憶部１７は、記憶された投影画像に関する管球焦点の位置と天板１１との相対的な位置、およびＳＩＤを記憶する。記憶部１７は、相対的な位置および所定の間隔を入力値として、ボリュームデータに基づいて複数の断面画像を発生する断面画像発生処理に関するプログラム（以下、医用画像処理プログラムと呼ぶ）を記憶してもよい。
【００１８】
角度決定部１９は、複数の短軸方向平行素子群各々と管球焦点との相対的な位置に基づいて、ＳＩＤに関する線分を含み短軸方向に平行な面と、管球焦点の位置と複数の短軸方向平行素子群各々とを含み短軸方向に平行な面との間の角度を決定する。すなわち、角度決定部１９は、複数の短軸平行素子群にそれぞれ対応する複数の角度を決定する。角度決定部１９は、決定した複数の角度を、後述する断面画像発生部２１に出力する。これにより、管球焦点の位置とひとつの短軸方向平行素子群を含み短軸方向に平行な複数の面（以下、特定面と呼ぶ）が特定される。なお、角度決定部１９は、Ｘ線検出面が天板１１と非平行である場合、天板１１に対するＸ線検出面の傾きと上記相対的な位置とに基づいて、角度を決定してもよい。
【００１９】
断面画像発生部２１は、決定された複数の角度とボリュームデータとに基づいて、複数の角度にそれぞれ対応する複数の断面画像を発生する。すなわち、断面画像発生部２１は、複数の特定面にそれぞれ対応する複数の断面画像を発生する。図２は、発生された複数の断面画像の一例を、Ｘ線検出面、ボリュームデータ、管球焦点とともに示す図である。図２に示すように、複数の断面画像各々は、管球焦点を中心として長軸方向に沿って扇形状に発生される。断面画像発生部２１は、発生した複数の断面画像を、後述する入力部２３を介した所定の操作に従って、後述する表示部２５に出力する。具体的には、断面画像発生部２１は、後述する入力部２３からの指示を契機として、複数の断面画像を発生する。
【００２０】
なお、断面画像発生部２１は、後述する入力部２３を介して断面画像上に入力された位置と、ボリュームデータとに基づいて、天板１１に平行な断面画像（コロナル画像）と、コロナル画像に垂直であって、長軸方向に平行な断面画像（サジタル画像）とを発生してもよい。このとき、断面画像発生部２１は、発生したコロナル画像とサジタル画像とを、後述する表示部２５に出力する。
【００２１】
入力部２３は、操作者が所望するＸ線撮影の撮影条件およびＸ線透視の透視条件、透視・撮影位置、Ｘ線透視の開始および終了と、投影画像の表示と複数の断面画像の表示とを表示させる切り替えなどを入力する。具体的には、入力部２３は、操作者からの各種指示・命令・情報・選択・設定を本医用画像診断装置１に取り込む。透視・撮影位置とは、例えば、基準位置に対する角度で規定される。例えば、第１斜位方向（ＲＡＯ）、第２斜位方向（ＬＡＯ）、尾頭方向（ＣＲＡ）、頭尾方向（ＣＡＵ）の起点を透視・撮影位置とし、基準位置を図１の直交３軸の原点とすると、透視位置の角度は０°である。
【００２２】
入力部２３は、図示しないが、関心領域の設定などを行うためのトラックボール、スイッチボタン、マウス、キーボード等を有する。入力部２３は、表示画面上に表示されるカーソルの座標を検出し、検出した座標を後述する制御部２７に出力する。なお、入力部２３は、表示画面を覆うように設けられたタッチパネルでもよい。この場合、入力部２３は、電磁誘導式、電磁歪式、感圧式等の座標読み取り原理でタッチ指示された座標を検出し、検出した座標を制御部２７に出力する。
【００２３】
入力部２３は、複数の断面画像に関する表示に関するボタン（以下、断面画像表示ボタンと呼ぶ）を有する。断面画像表示ボタンが押下されると、入力部２３は、断面画像を発生させる指示を、断面画像発生部２１に出力する。入力部２３は、発生された複数の断面画像を、長軸方向に沿って、画像めくりさせる指示を入力する。画像めくりの指示は、例えば、マウスに設けられたホイールの回転により入力される。なお、入力部２３は、表示された断面画像上に、サジタル画像とコロナル画像の発生に関する位置を入力することも可能である。
【００２４】
表示部２５は、投影画像発生部１３により発生された投影画像を表示する。表示部２５は、断面画像発生部２１で発生された断面画像を表示する。表示部２５は、ホイールの回転に従って、表示された断面画像に対して画像めくりを実行する。具体的には、表示部２５は、ホールの回転に応じて、長軸方向に沿った複数の断面画像を、順次切り替えて表示する。図３は、発生された複数の断面画像の表示の一例を示す図である。図３に示すように、表示部２５は、傾きに応じた断面画像を表示する。また、表示部２５は、画像めくり時において、扇状にすなわち傾きθの角度を変更させながら、断面画像を表示する。なお、表示部２５は、断面画像発生部２１で発生されたサジタル画像およびコロナル画像を、断面画像とともに表示してもよい。
【００２５】
制御部２７は、図示していないＣＰＵ（Ｃｅｎｔｒａｌ  Ｐｒｏｃｅｓｓｉｎｇ  Ｕｎｉｔ）とメモリを備える。制御部２７は、入力部２３から送られてくる操作者の指示、撮影条件、透視条件などの情報を、図示していなメモリに一時的に記憶する。制御部２７は、メモリに記憶された操作者の指示、撮影条件などに従って、Ｘ線撮影を実行するために、Ｘ線発生部３、支持機構駆動部９などを制御する。制御部２７は、メモリに記憶された操作者の指示、透視条件などに従って、Ｘ線透視を実行するために、Ｘ線発生部３、支持機構駆動部９、天板駆動部などを制御する。制御部２７は、断面画像表示ボタンの押下を契機として、複数の断面画像を発生するために、断面画像発生部２１などを制御してもよい。
【００２６】
（断面画像発生機能）  
断面画像発生機能とは、決定された複数の角度とボリュームデータとに基づいて、複数の断面画像を発生する機能である。以下、断面画像発生機能に関する処理（以下、断面画像発生処理と呼ぶ）について説明する。
【００２７】
図４は、断面画像発生処理の手順の一例を示すフローチャートである。  
天板１１に載置された被検体に対して、Ｘ線撮影（または透視）が実行される（ステップＳａ１）。Ｘ線検出部５からの出力に基づいて、被検体の投影画像が発生される（ステップＳａ２）。天板１１に対する管球焦点の相対的な位置と所定の間隔とに基づいて、複数の特定面にそれぞれ対応する複数の角度が決定される（ステップＳａ３）。決定された角度とボリュームデータとに基づいて、複数の特定面にそれぞれ対応する複数の断面画像が発生される（ステップＳａ４）。複数の断面画像が投影画像とともに表示される（ステップＳａ５）。
【００２８】
なお、複数の断面画像のうち少なくとも１枚の断面画像が投影画像とともに表示されてもよい。この時、入力部２３を介して入力された画像めくりの指示に従って、複数の断面画像に対して、長軸方向に沿って順に画像めくりが実行されてもよい。この時、画像めくりは、例えば、図２、図３に示すように扇状に実行される。また、入力部２３を介して、断面画像上に、サジタル画像とコロナル画像の発生に関する位置が入力されると、サジタル画像とコロナル画像とが発生されてもよい。この時、表示部２５は、発生されたサジタル画像とコロナル画像を、断面画像とともに表示してもよい。
【００２９】
（変形例）  
上記実施形態との相違は、投影画像上に指定された位置（以下、指定位置と呼ぶ）に基づいて、断面画像を発生することにある。
【００３０】
入力部２３は、表示部２５に表示された投影画像上に指定された指定位置を入力する。図５は、投影画像に指定された指定位置の一例を示す図である。なお、図５における投影画像は、透視画像のうちラストイメージホールド（Ｌａｓｔ  Ｉｍａｇｅ  Ｈｏｌｄ：以下、ＬＩＨと呼ぶ）が実行された投影画像（ＬＩＨ画像）であってもよい。また、指定位置が入力される投影画像は、被検体に対するＸ線撮影による撮影画像であってもよい。以下、説明を簡便にするために、指定位置の入力に関する画像は、投影画像であるものとする。入力部２３は、投影画像上に指定された指定位置に関する情報を、角度決定部１９に出力する。また、入力部２３は、後述する断面画像発生部２１により発生された断面画像上に、サジタル画像とコロナル画像との発生に関する位置を入力することも可能である。
【００３１】
角度決定部１９は、投影画像上における指定位置に対応するＸ線検出面の位置（以下、特定位置と呼ぶ）と、Ｘ線検出面の中心位置とに基づいて、管球焦点と中心位置とを含み短軸方向に平行な第１面と、検出面指定位置と管球焦点とを含み短軸方向に平行な第２面との間の角度を決定する。具体的には、角度決定部１９は、指定位置に基づいて、特定位置を特定する。次いで、角度決定部１９は、特定位置と管球位置と中心位置とに基づいて、第２面を決定する。より詳細には、角度決定部１９は、中心位置を原点とした特定位置の座標に基づいて、長軸方向に沿った特定位置と中心位置との距離（以下、長軸方向距離と呼ぶ）を決定する。最後に、角度決定部１９は、長軸方向距離とＳＩＤ（管球焦点と中心意位置との間の距離）とに基づいて、第１面と第２面との間の角度を決定する。
【００３２】
図６は、Ｘ線検出面の中心位置と管球焦点とを有し天板の短軸方向に平行な第１面と、特定位置と管球焦点とを有し天板の短軸方向に平行な第２面との間の角度θを示す図である。図７は、図６における第１面、第２面を天板１１の短軸方向から見た図である。図６、図７に示すように、角度θは、ｔａｎ−１（長軸方向距離／ＳＩＤ）を計算することにより決定される。なお、Ｘ線検出面が天板１１に非平行である場合、角度決定部１９は、天板１１に対するＸ線検出面の傾きに応じた回転行列を、特定位置の座標に掛ける処理を実行することにより、上記処理を実行して角度を決定することができる。
【００３３】
断面画像発生部２１は、ボリュームデータと角度とに基づいて、第２面に対応する断面画像を発生する。図８は、断面画像発生部２１により発生される断面画像の一例を示す図である。図８に示すように、入力部２３を介して投影画像上に指定位置が入力されると、Ｘ線検出面上に特定位置が特定される。断面画像発生部２１は、ボリュームデータと決定された角度とに基づいて、特定位置と管球焦点とを結ぶ線分を有する第２面に対応する断面画像を発生する。
【００３４】
なお、断面画像発生部２１は、入力部２３を介して断面画像上に入力された位置と、ボリュームデータとに基づいて、コロナル画像とサジタル画像とを発生してもよい。このとき、断面画像発生部２１は、発生したコロナル画像とサジタル画像とを、後述する表示部２５に出力する。
【００３５】
表示部２５は、断面画像発生部２１により発生された断面画像を、指定位置が入力された投影画像とともに表示する。なお、表示部２５は、断面画像発生部２１により発生された断面画像を、サジタル画像とコロナル画像とともに表示してもよい。
【００３６】
（断面画像発生機能）  
本変形例における断面画像発生機能とは、投影画像上に指定された指定位置と中心位置と管球焦点とに基づいて第１面と第２面との間の角度を決定し、ボリュームデータと決定された角度とに基づいて第２面に対応する断面画像を発生することにある。
【００３７】
図９は、本変形例に係り、断面画像発生処理の手順の一例を示すフローチャートである。  
被検体に対してＸ線透視が実行される（ステップＳｂ１）。表示部２５にＸ線透視像が表示される。表示されたＸ線透視像において、ラストイメージホールドが実行されたとき、Ｘ線検出部５からの出力に基づいて、投影画像が発生される（ステップＳｂ２）。入力部２３を介して投影画像上に指定された指定位置が入力される（ステップＳｂ３）。入力された指定位置に対応するＸ線検出面上の特定位置が特定される（ステップＳｂ４）。特定位置と中心位置と管球焦点とに基づいて、第１面と第２面との間の角度が決定される（ステップＳｂ５）。
【００３８】
決定された角度とボリュームデータとに基づいて、第２面に対応する断面画像が発生される（ステップＳｂ６）。発生した断面画像が、投影画像とともに表示される（ステップＳｂ７）。
【００３９】
以上に述べた構成によれば、以下の効果を得ることができる。  
本実施形態に係る医用画像診断装置１によれば、決定された複数の角度とボリュームデータとに基づいて、天板１１の短軸方向に平行であって管球焦点を含む複数の特定面にそれぞれ対応する複数の断面画像を発生することができる。すなわち、管球焦点から複数の半導体検出素子各々に到達したＸ線のレイに一致する複数の断面画像を発生することができる。また、本医用画像診断装置１によれば、発生された複数の断面画像を、操作者の指示に従って、長軸方向に沿って扇形状に画像めくりを実行することができる。これにより、投影画像上において、操作者が所望する位置（関心部分）を有する断面画像を発生することができる。これらのことから、本実施形態に係る医用画像診断装置１によれば、操作者が所望する関心点を有する断面画像を発生することができる。
【００４０】
また、本実施形態の変形例に係る医用画像診断装置１によれば、投影画像上に指定された位置とボリュームデータとに基づいて第１面と第２面との間の角度を決定し、ボリュームデータと決定された角度とに基づいて第２面に対応する断面画像を発生することができる。これにより、本変形例に係る医用画像診断装置１によれば、投影画像上に指定された指定位置に関する断面画像を発生することができる。
【００４１】
以上のことから、本医用画像診断装置１によれば、投影画像上において操作者が所望する関心点に関する関心部位を有する断面画像を発生することができる。
【００４２】
なお、本実施形態の変形例として、本医用画像診断装置１の技術的思想を医用画像処理装置で実現する場合には、例えば図１の構成図における点線２内の構成要素を有するものとなる。本実施形態に関する断面画像発生機能における各処理は、例えば、図４において、ステップＳａ３乃至ステップＳａ５に対応する処理となる。加えて、本実施形態の変形例に関する断面画像発生機能における各処理は、例えば、図９において、ステップＳｂ３乃至ステップＳｂ７に対応する処理となる。
【００４３】
また、本実施形態に係る機能は、断面画像発生処理を実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記憶媒体に格納して頒布することも可能である。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４５】
１…医用画像診断装置、２…医用画像処理装置、３…Ｘ線発生部、５…Ｘ線検出部、７…支持機構、９…支持機構駆動部、１１…天板、１３…投影画像発生部、１５…インターフェース部、１７…記憶部、１９…角度決定部、２１…断面画像発生部、２３…入力部、２５…表示部、２７…制御部
【図１】
2014140529.tif 000003
【図２】
2014140529.tif 000004
【図３】
2014140529.tif 000005
【図４】
2014140529.tif 000006
【図５】
2014140529.tif 000007
【図６】
2014140529.tif 000008
【図７】
2014140529.tif 000009
【図８】
2014140529.tif 000010
【図９】
2014140529.tif 000011
【図１０】
2014140529.tif 000012
【図１１】
2014140529.tif 000013
【図１２】
2014140529.tif 000014